(57)【要約】  本発明は光信号を発するための手段を有する携帯送信器によって発せられる開閉コードを規定する光信号に基づいてドア(P)等を開閉するよう構成された電子デバイス(1)に関し、当該電子デバイスは電気的ロックを有し、当該電気的ロックは、ステータ(20)およびローター(21)を備えたロックシリンダー(2)ならびに電気的ロックの状態を変更するよう構成された電気式アクチュエータ(3)と、受信ダイオード(4)を含む光パルスを検出するよう構成された信号を受信するための手段と、受信ダイオード(4)および電気式アクチュエータ(3)に接続され、受信手段によって検出された光パルスをデコードし、電気式アクチュエータ(3)のための制御を決定するよう構成された制御ユニット(5)とを備える。本発明によればダイオード(4)は有利に保護され、手段(3,4,5)の全ては、従来型のロックシリンダーとしてのその設置を容易にするためにロックシリンダー(2)に対して自立している。
2020533509.tif 000002
【特許請求の範囲】
【請求項１】
光信号を発するための手段を有する移動可能な送信器によって発せられる開放および／または閉鎖コードを規定する光信号から、ドア（Ｐ）等を開放／閉鎖するように構成された電子デバイス（１）であって、
前記電子デバイスは電気的ロックを有し、前記電気的ロックは、
ステータ（２０）およびローター（２１）を備えたロックシリンダー（２）、ならびに前記電気的ロックの状態を開放状態から閉鎖状態へと、あるいはその逆に変更するように構成された電気式アクチュエータ（３）と、
受信ダイオード（４）を含む、可視領域の光パルスを検出するように構成された信号を受信するための受信手段と、
前記受信ダイオード（４）に接続されると共に前記電気式アクチュエータ（３）に接続され、前記受信手段によって検出された光パルスをデコードし、前記ロックの状態を変更するために前記電気式アクチュエータ（３）の制御を決定するように構成された制御ユニット（５）と
を具備し、
前記ロックシリンダー（２）と、前記信号を受信するための受信手段と、前記制御ユニットとが自立アセンブリ（６）を形成し、前記デバイスは、ロックシリンダーのために意図されたドア（Ｐ）のハウジング（Ｌｇ）内に前記ロックシリンダー（２）を挿入し、続いて、前記ドアのエッジから前記ステータ（２０）のネジ孔（２０１）と係合する固定ネジ（７）を実装することにより、前記ドアに対して前記自立アセンブリ（６）を設置することを可能とするように構成され、
前記ロックシリンダー（２）は、前記電気式アクチュエータ（３）によって回転させられる前記ステータ（２０）および前記ローター（２１）、ならびにロッキングラッチを制御するよう意図された、前記ローター（２１）によって回転動作させられるロックピン（２２）と、を備え、前記ステータ（２０）は、前記ロックシリンダー（２０）が前記ドアの前記ハウジング（Ｌｇ）に収容されたとき、前記ドアの外側と呼ばれる、そこから前記電気的ロックの開放あるいは閉鎖を制御するために光信号が発せられる前記ドアの側に配置されるよう意図された、いわゆる外側端部（Ｅｅ）と、前記ドアの内側と呼ばれる、そこから前記電気的ロックの開放あるいは閉鎖を制御するために光信号が発せられる側と反対の前記ドア（Ｐ）の側に配置されるよう意図された前記ステータ（２０）の内側端部（Ｅｉ）と、を持つ二つの長手方向端部を有し、
前記受信手段に属する前記受信ダイオード（４）は、前記ロックシリンダー（２）の前記ステータの前記外側端部（Ｅｅ）から前記内側端部（Ｅｉ）までの距離に配置され、前記受信ダイオード（４）は前記自立アセンブリ内にアクセス不可能であるように存在し、
第１の可能性によれば、前記ステータ（２０）は、前記ステータ（２０）の前記外側端部（Ｅｅ）において開口する閉断面チャネル（２０４）を備え、前記チャネル（２０４）は、前記ドアの外側から発せられた光信号を、内部にアクセス不可能に配置された前記受信ダイオード（４）へと伝送することを可能とするように構成され、
第２の可能性によれば、前記ステータ（２０）は、前記ロックシリンダー（２）がヨーロッパプロファイルロックシリンダー用のドア（Ｐ）のハウジング（Ｌｇ）内に設置されたときにのみ閉断面チャネル（２０５）を形成するよう構成された開放チャネルまたはレベル（２４）を備え、形成される前記チャネルは、前記ドアの外側から発せられる光信号を、内部にアクセス不可能に配置された前記受信ダイオード（４）へと伝送できるように構成される、電子デバイス（１）。
【請求項２】
前記ステータ（２０）によって形成された前記チャネル（２０４）は、閉断面チャネルである、請求項１に記載の電子デバイス。
【請求項３】
前記ステータ（２０）は、前記ロックシリンダーがヨーロッパプロファイルロックシリンダー用の前記ドア（Ｐ）の前記ハウジング（Ｌｇ）内に設置されたときにのみ閉断面チャネルを形成するように構成されたレベルまたは開放断面チャネルを有する、請求項１に記載の電子デバイス。
【請求項４】
光ファイバー（８）が、第１の可能性に従って、前記ステータ（２０）の前記外側端部（Ｅｅ）から前記ステータの前記チャネル（２０４）の内部に配置された前記自立アセンブリ（６）内の前記ダイオード（４）への、あるいは第２の可能性に従って、ヨーロッパプロファイルシリンダー用の前記ハウジングと前記ステータ（２）との間に形成される前記チャネル内での光信号の案内を保証するように構成される、請求項１ないし請求項３のいずれか１項に記載のデバイス。
【請求項５】
前記自立アセンブリ（６）が、前記ステータの前記内側端部（Ｅｉ）から突出する前記ロックシリンダー（２）の前記ステータ（２０）と一体のケース（９）を備え、前記ケースは前記制御ユニット（５）を収容する、請求項１ないし請求項４のいずれか１項に記載のデバイス。
【請求項６】
前記ケース（９）は、前記ステータ（２０）のネジ孔と係合するネジ（９０）によって前記ロックシリンダー（２）の前記ステータ（２０）の前記内側端部（Ｅｉ）に固定される、請求項５に記載のデバイス。
【請求項７】
前記ケースは、前記受信手段の前記受信ダイオード（４）を内部に収容し、前記チャネル（２０４）は、外側端部（Ｅｅ）と呼ばれる長手方向端部の前記ロックシリンダーの前記ステータ（２０）を通って、内側端部（Ｅｉ）と呼ばれる他方の長手方向端部まで延びる、請求項６に記載のデバイス。
【請求項８】
前記ケース（９）は前記電気式アクチュエータ（３）を内部に収容する、請求項６または請求項７に記載のデバイス。
【請求項９】
前記ケース（９）は、前記制御ユニット（５）および前記電気式アクチュエータの電力供給のための電気エネルギー源（１０）を収容する、請求項７または請求項８に記載のデバイス。
【請求項１０】
前記電気式アクチュエータ（３）は、前記ロックシリンダー（２）の前記ローター（２１）の回転軸線に対して実質的に垂直な回転軸線を有する電気モーター（３０）と、前記ローターと一体の第１の円錐形ピニオン（３１）と、前記モーター（３０）の出力部と一体の第２の円錐形ピニオン（３２）と、を備える傘歯車を形成する噛み合い部と、を備える、請求項１ないし請求項９のいずれか１項に記載のデバイス。
【請求項１１】
前記ドア（Ｐ）の内側から作動させることができるように構成された把持部分（１１）と、前記ステータ（２０）の前記内側端部から、前記ローターから前記ステータの外部へと延びる前記ローター（２１）と一体のシャフト（１２）と、を備える手動制御部を備え、前記手動制御部は、前記把持部分（１１）への手動回転操作によって前記ロックの状態を変更できるように構成される、請求項１０に記載のデバイス。
【請求項１２】
前記電気式アクチュエータ（３）によって作動させられる前記ローター（２１）は第１のローターと呼ばれ、前記ロックシリンダー（２）は、前記第１のローター（２１）から独立して、前記ステータ（２０）の内部に設けられる第２のローター（２３）を備え、前記第２のローターは、キーを受け入れるためのキー経路を形成するリセスを有し、前記第２のローター（２３）は、前記ステータの前記外側端部から前記第２のローター（２３）の前記キー経路内に挿入された前記キーを回転させることにより前記ロックの状態を変更することができるように構成され、カップリング機構（２５）が、前記キーが前記第２のローター（２３）の前記キー経路内に挿入されたときにのみ前記ロックピン（２２）に対する前記第２のローター（２３）の結合を保証するように構成される、請求項１ないし請求項１１のいずれか１項に記載のデバイス。
【請求項１３】
前記第２のローター（２３）およびステータ（２０）のアセンブリは、ピンタンブラーロック（１４，１５）を形成する、請求項１２に記載のデバイス。
【請求項１４】
前記受信ダイオードは、前記光パルスを検出すると共に、前記ステータ（２０）の前記外側端部から認識可能な可視光信号を発するように構成されており、開放および／または閉鎖コードを規定する光信号の検出および前記制御ユニット（５）による開放または閉鎖への前記アクチュエータ（３）の制御の発生に続いて、前記制御ユニット（５）は、開放あるいは閉鎖操作の成功を示す視覚信号を発するために前記ダイオードを制御するように構成される、請求項１ないし請求項１３のいずれか１項に記載のデバイス。
【請求項１５】
設置方法であって、
請求項１ないし請求項１４のいずれか１項に記載の電子デバイスの電気的ロックの自立アセンブリを提供するステップと、
前記電気的ロックの開放あるいは閉鎖を制御するために、そこから光信号が発せられるよう意図された側とは反対のドアの側から、前記自立アセンブリ（６）の前記ロックシリンダー（２）を、ロックシリンダーを収容するよう意図されたドア（Ｐ）のハウジング（Ｌｇ）内に挿入するステップと、
前記ドアのエッジから前記固定ネジ（７）を挿入し、前記ロックシリンダー（２）の前記ステータ（２０）の前記ネジ孔（２０１）内に前記固定ネジをねじ込むことによって前記自立アセンブリ（６）をロックするステップと
を具備する設置方法。
【発明の詳細な説明】
【技術分野】
【０００１】
本発明は、電気的ロックを備えたドア等を開放および／または閉鎖するための電子デバイス、およびそのような電気的ロックをドアなどに設置するための方法に関する。
【背景技術】
【０００２】
本発明の分野は電気的ロックのそれである。このタイプのロックは、ロックの状態を、すなわち閉鎖状態から開放状態へと変化させる電気式アクチュエータを備え、このアクチュエータは、送信器から来る信号を受信する手段に接続された制御ユニット自体の電子デバイスによって制御される。
【０００３】
本発明は、特に、電気的ロックによるドアの開放あるいは閉鎖が可視領域の光信号から制御され、その光パルスが開閉コードを規定する電子デバイスに焦点を当てる。
【０００４】
この開閉コードは、光信号を発するための手段を有する移動可能な送信器によって発せられる。移動可能な送信器は、適切なソフトウェアがダウンロードされるスマートフォンとすることができる。光信号を発するための手段は電話機からのフラッシュとすることができる。
【０００５】
そのような技術は、例えば、特許文献１に記載されたデバイスによって開示されており、当該デバイスは、
・ロックの状態を変更するためのモーターなどの、参照符号１３が付された電気式アクチュエータに結合されたロックシリンダーと、
・光信号からのパルスを検出するのに適した、参照符号２０が付されたフォトダイオードを備える、参照符号１６が付された受信手段と、
・受信手段に接続されかつアクチュエータ１３に接続され、受信手段によって検出された信号からの光パルスをデコードし、電気的ロックの状態を変更するためにアクチュエータ１３の制御を決定するように構成された電子デバイスを備える、参照符号１７が付された制御ユニットとを備える。
【０００６】
このような電気的ロックは、専用アプリケーションをダウンロードした後、ユーザーのスマートフォンを制御要素として使用することを可能にするという点で有利である。光パルスの形態で制御信号を使用することはまた、電話機のフラッシュの使用によって、高いセキュリティレベルを提供することを可能にする。フラッシュの光の流れは事実上指向的であるため、その放射を容易に受信することができるwi-fi（登録商標）またはBluetooth（登録商標）信号と比較して、ハッキングするのがより困難であり、ハッキングのリスクが低減される。
【０００７】
反対に、そして本発明者の観察によれば、制御信号として光の流れの使用は、特許文献１の図１に示されるように、ドアの外側に、すなわち光信号が発せられるのと同じ側に受信手段１６、特にフォトダイオードを提供することを、あるいはまた、ドア内に収容された場合（この場合にはドアの外側のアクセス開口からスマートフォンを受け入れることが可能となる）には、このフォトダイオードの統合を実現することを強いる。したがって、この場合は、特許文献１の図５および図６の実施形態に従って示されるように、参照符号２２０が付された、検出フォトダイオードへの光信号の通過のための開口を有する。
【０００８】
両方の場合において、図１の実施形態または図５および図６の実施形態にかかわらず、光信号を受信するための手段は、その一体化のために、ドア内の特定の専用ハウジングを、すなわち、特に、ハンドルおよびロックシリンダーの一体化のためにドア内に既に存在するハウジングとは別個のハウジングを必要とする。
【０００９】
ドアの外側から簡単にアクセスできるフォトダイオードを備えた図１の実施形態はまた、破壊行為によって容易に損傷する可能性があり、電気的ロックを動作不能にする。
【先行技術文献】
【特許文献】
【００１０】
【特許文献１】国際公開第２０１６／１２４５４４号パンフレット
【発明の概要】
【発明が解決しようとする課題】
【００１１】
本発明の目的は、光信号を発するための手段を有する移動可能な受信器によって発せられる開放および／または閉鎖コードを規定する光信号からドアなどを開閉するように構成され、かつ、その電気的ロックは上述した破壊行為のリスクを制限しながら上述した従来技術に対して設置が簡単である電子デバイスを提案することにより、上述した欠点を解消することである。
【課題を解決するための手段】
【００１２】
有利なことには、以下で理解できるように、
・本発明による電子デバイスの設置は、設置ステップに関して、ヨーロッパシリンダーとして当業者に知られている従来のロックシリンダーの設置のために、すなわちそうしたヨーロッパ型シリンダーの固定のために必要なそれと比べて追加のステップを必要とせず、ドアを貫通するか、あるいはヨーロッパプロファイルシリンダーに適した形状のハウジングにロックシリンダーを挿入し、その後、ドアのエッジから固定ネジを実装することしか必要とせず、このネジは、ロックシリンダーのステータのネジ山と噛み合って、そのハウジング内でのロックシリンダーの所定位置でのロックを保証し、
・光信号からのパルスを検出するために使用される電子ロックの受信ダイオードはアクセス不可能であり、したがって悪意のある行為から保護される。
【００１３】
本発明のその他の目的および利点は、情報のためにのみ与えられ、それを限定することを意図しない以下の説明において明らかとなるであろう。
【００１４】
また、本発明は、まず、光信号を発するための手段を有する移動可能な送信器によって発せられる開放および／または閉鎖コードを規定する光信号から、ドア等を開閉するように構成された電子デバイスに関し、
当該電子デバイスは電気的ロックを有し、この電気的ロックは、
・ステータおよびローター、ならびに電気的ロックの状態を開放状態から閉鎖状態へと、またはその逆に変更するように構成された電気式アクチュエータを備えたロックシリンダーと、
・受信ダイオードを備える、可視領域の光パルスを検出するように構成された信号を受信するための手段と、
・受信ダイオードに接続されると共に電気式アクチュエータに接続され、受信手段によって検出された光パルスをデコードし、ロックの状態を変更するために電気式アクチュエータの制御を決定するように構成された制御ユニットとを備える。
【００１５】
本発明によれば、
・ロックシリンダー、信号を受信するための手段および制御ユニットは自立アセンブリを形成し、デバイスは、ロックシリンダーを、当該ロックシリンダーのために意図されたドアハウジング内に挿入し、続いてドアのエッジからステータのネジ孔と係合する固定ネジを実装することにより、ドアに対する自立アセンブリの設置を可能とするように構成され、
・ロックシリンダーは、電気式アクチュエータによって回転させられるステータおよびローター、ならびにロッキングラッチを制御するよう意図された、ローターによって回転動作させられるロックピンを備え、ステータは、ロックシリンダーがドアのハウジングに収容されたときに、いわゆるドアの外側と呼ばれる、そこから電気的ロックの開放あるいは閉鎖を制御するために光信号が発せられるドアの面上に配置されるよう意図された、いわゆる外側端部と、いわゆるドアの内側と呼ばれる、そこから電気的ロックの開放あるいは閉鎖を制御するために光信号が発せられる面と反対側のドアの面上に配置されるよう意図されたステータの内側端部とを持つ二つの長手方向端部を有し、
・受信手段に属する受信ダイオードは、ロックシリンダーのステータの外側端部から内側端部までの距離に配置され、当該受信ダイオードは、特に、自立アセンブリ内にあり、アクセス不可能となっている。
【００１６】
さらに、第１の可能性によれば、ステータは、このステータの外側端部に開口する閉断面チャネルを備え、当該チャネルは、ドアの外側から発せられる光信号の、内部にアクセス不可能に配置された受信ダイオードへの伝送を可能とするように構成される。
【００１７】
あるいは、第２の可能性によれば、ステータは、ヨーロッパプロファイルロックシリンダー用のドアのハウジング内にロックシリンダーが設置されたときにのみ、閉断面チャネルを形成するように構成された開放チャネルまたはレベルを備え、形成された当該チャネルは、ドアの外側から発せられた光信号の、内部にアクセス不可能に配置された受信ダイオード（４）への伝送を可能とするように構成される。
【００１８】
個別にまたは組み合わせて採用される本発明の任意の特徴によれば、
・ステータによって形成されるチャネルは、閉断面チャネルであり、あるいは代替的に、ステータは、ロックシリンダーがヨーロッパプロファイルロックシリンダー用のドア（Ｐ）のハウジング内に設置されたときにのみ、閉断面チャネルを形成するように構成されたレベルまたは開断面チャネルを有し、
・光ファイバーは、第１の可能性に従って、ステータの外側端部からステータのチャネルの内部に配置された自立アセンブリ内のダイオードへの、あるいは第２の可能性に従って、ヨーロッパプロファイルシリンダー用のハウジングとステータとの間に形成されるチャネル内での光信号の案内を保証するように構成され、
・上記自立アセンブリは、ステータの下端部から突出するロックシリンダーのステータと一体のケースを備え、当該ケースは上記制御ユニットを収容し、
・ケースは、ステータのネジ孔と係合するネジによってロックシリンダーのステータの内側端部に固定され、
・ケースは、受信手段の受信ダイオードを内部に収容し、上記チャネルは、外側端部と呼ばれる長手方向端部のロックシリンダーのステータを通って、内側端部と呼ばれる他方の長手方向端部まで延び、
・ケースは内部に電気式アクチュエータを収容し、
・ケースは、制御ユニット（５）および電気式アクチュエータの電力供給用の電気エネルギー源（バッテリーまたはセルなど）を収容し、
・電気式アクチュエータは、ロックシリンダーのローターの回転軸線に対して実質的に垂直な回転軸線を有する電気モーターと、ローターと一体の第１の円錐形ピニオンおよび電気モーターの出力部と一体の第２の円錐形ピニオンを含む傘歯車を形成する噛み合い部とを備え、
・電気的ロックは、ステータの内側から作動させることができるように意図された把持部分と、ローターと一体のシャフトとを備えた手動制御部を備え、当該手動制御部は、把持部分への手動回転操作によってロックの状態を変更することができるように構成され、
・電気式アクチュエータによって作動させられるローターは第１のローターと呼ばれ、ロックシリンダーは、第１のローターから独立して、ステータの内部に設けられた第２のローターを備え、当該第２のローターは、キーを受け入れるためのキー経路を形成するリセスを有し、第２のローターは、ステータの外側端部から第２のローターのキー経路内に挿入されたキーを回転させることによりロックの状態を変更することができるように構成され、カップリング機構が、キーが第２のローターのキー経路内に挿入されるときにのみ、ロックピンに対する第２のローターの結合を保証するように構成され、
・第２のローターおよびステータのアセンブリはピンタンブラーロックを形成し、
・受信ダイオードは、光パルスを検出すると共にステータの外側端部から認識できる可視光信号を発するように構成され、開放および／または閉鎖コードを規定する光信号の検出、そして開放あるいは閉鎖のための制御の制御ユニットによる発生に続いて、制御ユニットは、開放または閉鎖操作の成功を示す視覚信号を発するためにダイオードを制御するように構成される。
【００１９】
本発明はまた、以下のステップ、すなわち
・本発明による電子デバイスの電気的ロックの自立アセンブリを提供するステップと、
・電気的ロックの開放あるいは閉鎖を制御するために、そこから光信号が発せられるよう意図された側とは反対のドアの側から、自立アセンブリのロックシリンダーを、ロックシリンダーを収容するよう意図されたドアのハウジング内に挿入するステップと、
・固定ネジのドアのエッジからロックシリンダーのステータのネジ孔内に固定ネジを挿入することによって自立アセンブリをロックするステップと
を備える設置方法に関する。
【００２０】
本発明は、添付図面および以下の詳細な説明から、よりよく理解される。
【図面の簡単な説明】
【００２１】
【図１】本発明による電子デバイスの電気的ロックの斜視図であり、ロックシリンダー、信号を受信するための手段および制御ユニットは、有利なことには、自立アセンブリを形成し、その実施形態によれば、ヨーロッパプロファイルのロックシリンダーは、アクチュエータによってだけでなく、フラットキーによっても制御できる。
【図２】図１の電気的ロックの、ロックシリンダーを通る垂直面に沿った断面図であり、より具体的には、ロックシリンダーのステータの外側端部から取り外されたダイオードの配置、ならびに突出ケース内に収容されると共にロックシリンダーのステータの内側端部と一体のダイオードへとステータに沿って光信号を伝送することを可能にするチャネルの存在を示している。
【図３】図１のデバイスのロックシリンダーの分解図であり、より具体的には、ステータ、第１の電動化ローターおよびキー経路用のキャビティを備えた第２のローター、第１のローターまたは第２のローターによって作動可能なロックピン、キーの挿入中にのみ第２のローターをロックピンに結合することを可能にする結合／分離機構、ステータセンブリ／第２のローターによって形成されたピンタンブラーロックの能動ピンおよび受動ピン、ならびにステータのチャネル内へと延びるよう意図された光ファイバーを示している。
【図４】図３のそれを置き換えることができる単一のローターを備えたロックシリンダーの分解図であり、より具体的には、ステータ、電動化ローター、ローターによって作動可能なロックピン、ならびにステータのチャネル内へと延びるよう意図された光ファイバーを示しており、当該ロックシリンダーはキー機構を持たない。
【図５】光信号の伝送を可能にするチャネルが、ステータの基部のレベル等とヨーロッパプロファイルロックシリンダー用のハウジングとの間に形成される第２実施形態を示す概略図である。
【図６】自立アセンブリをドアに設置することを可能にする設置ステップ、すなわちそこから電気的ロックの開放および閉鎖を制御するために光信号が発せられるよう意図された側と反対のドアの側から自立アセンブリのロックシリンダーをドアハウジング内に挿入するステップを示す図である。
【図７】自立アセンブリをドアに設置することを可能にする設置ステップ、すなわちドアのエッジから固定ネジを挿入し、ロックシリンダーのステータのネジ孔に固定ネジをねじ込むことにより自立アセンブリをロックするステップを示す図である。
【発明を実施するための形態】
【００２２】
本発明はまた、光信号を発するための手段を有する移動可能な送信器によって発せられる開放および／または閉鎖コードを規定する光信号から、ドアＰなどを開閉するように構成された電子デバイス１に関する。
【００２３】
この目的のために、電子デバイスは、
・ステータ２０およびローター２１を備えたロックシリンダー２、ならびに電気的ロックの状態を開放状態から閉鎖状態へと、あるいはその逆に変更するように構成された電気式アクチュエータ３と、
・受信ダイオード４を備えた、可視領域の光パルスを検出するように構成された信号を受信するための手段と、
・受信ダイオードおよび電気式アクチュエータ４に接続され、受信手段によって検出された光パルスをデコードし、ロック状態を変更するために電気式アクチュエータ３の制御を決定するように構成された制御ユニット５と
を備えた電気的ロックを有する。
【００２４】
特に、本発明によれば、ロックシリンダー２、信号を受信するための手段および制御ユニット５は、自立アセンブリ６を形成し、デバイスは、ヨーロッパプロファイルロックシリンダーのために意図されたドアＰのハウジングＬｇ内にロックシリンダー２を挿入し（図６参照）、続いてドアのエッジからステータ２０のネジ孔２０１と係合する固定ネジ７を実装することにより（図７参照）、ドアに対して自立アセンブリ６を設置することを可能とするように構成される。
【００２５】
したがって、本発明による電子デバイス１の設置は非常に簡単であり、ステップに関して、ヨーロッパプロファイルの従来型ロックシリンダーの設置のために必要なステップに対して追加的なステップを必要としない。
【００２６】
ロックシリンダー２は、電気式アクチュエータ３により回転させられるステータ２０およびローター２１、ならびにロッキングラッチを制御するよう意図された、ローター２１によって回転動作させられるロックピン２２を含む。ステータ２０は、ロックシリンダー２０がドアのハウジングＬｇに収容されたとき、電気的ロックの開放あるいは閉鎖を制御するためにそこから光信号が発せられるドアの側に配置されるように意図された、いわゆる外側端部Ｅｅを備えた二つの長手方向端部を有する。したがってドアの外側が参照される。ステータ２０はまた、電気的ロックの開放あるいは閉鎖を制御するためにそこから光信号が発せられるドアＰの側と反対の側に配置されるように意図されたステータ２０の内側端部Ｅｉを含み、したがってドアの内側が参照される。
【００２７】
特に、受信手段に属する受信ダイオード４は、有利なことには、ロックシリンダー２のステータの外側端部Ｅｅから内側端部Ｅｉまでの距離に配置され、受信ダイオード４は、少なくとも自立アセンブリがドアに、特に自立アセンブリの内部に設置される場合、アクセス不可能である。悪意のあるリスクに対する電子デバイスの耐性は、ドアの外側からこのダイオードを簡単に損傷させることができないという点で改善される。
【００２８】
図２に非限定的な例として示される本発明の第１の可能性によれば、ステータ２０は、当該ステータ２０の外側端部Ｅｅにおいて開口する閉断面チャネル２０４を備え、当該チャネル２０４は、ドアの外側から発せられる光信号を、内部に配置されかつアクセス不可能な受信ダイオード４へと伝送することを可能にするように構成される。
【００２９】
あるいは、図５に非限定的な例として示される第２の可能性によれば、ステータ２０は、ロックシリンダー２がヨーロッパプロファイルロックシリンダー用のドアＰのハウジングＬｇ内に設置されたときにのみ、閉断面チャネル２０５を形成するように構成された開放チャネルまたはレベル２４を備える。このように形成されたこのチャネルは、ドアの外側から放射された光信号を、内部にアクセス不可能に配置された受信ダイオード４まで伝送することができるように構成される。
【００３０】
ヨーロピアンプロファイルシリンダー２は、シリンダーのローターと同軸の円形部分２ａと、この円形部分から半径方向に突出すると共にアーチ形凸状プロファイル２ｃによりその下部で終端する延長部分２ｂとを有するステータを備える。
【００３１】
図５に示すように、ステータ２０の基部は、特にステータの基部に、ステータの長さの全体またはその一部にわたってレベルを有することができ、ヨーロッパプロファイルシリンダー用のハウジングの基部におけるアーチ状プロファイルと、当該レベルとの間に閉断面チャネル２０５が形成される。図５では、このレベルは、チャネル２０５の形成を考慮して、上述したアーチ状プロファイル２ｃを除去する。
【００３２】
第１実施形態の可能性によれば、閉断面チャネルは、特に、上述したアーチ状プロファイルのステータ２ｃの断面上に作られた、ステータ２の全長にわたる長手方向の孔によって達成できることに留意されたい。また、このチャネルは、ロックシリンダー２の固定用に構成されたネジ孔２０１の下に配置でき、このネジ孔２０１は、通常、ステータの軸線および延長部分２ｂの半径方向と実質的に直交し、延長部分２ｂの材料を除去することによって作られることに留意されたい。
【００３３】
一実施形態によれば、光ファイバー８は、第１の可能性に従って、ステータ２０の外側端部Ｅｅからステータのチャネル２０４の内部に配置される自立アセンブリ６の内部のダイオード４への、あるいは第２の可能性に従って、ヨーロッパプロファイル用のハウジングとステータ２との間に形成されたチャネル２０５内での光信号の案内を保証するように構成することができる。
【００３４】
一実施形態によれば、上記自立アセンブリ６は、ステータ２０の内側端部Ｅｉから突出するロックシリンダー２のステータ２０と一体のケース９を備えることができる。このケース９は、以下の要素、すなわち
・制御ユニット５、
・受信ダイオード４、
・電気式アクチュエータ３、
・電力供給のためのバッテリーまたはセルなどの電気エネルギー源１０
の全てまたは一部を収容する。
【００３５】
ケース９は、ステータ２０のネジ孔と係合するネジ９０により、シリンダーステータの内側端部Ｅｉに固定することができる。ネジ孔は、例えば、図２に示すように、延長部分２ｂに設けられる。例えば、ケースは、固定プレート９１と（取り外し可能な）カバー９２とを備えており、これらは共同で上述した要素のための収容空間を形成する。プレート９１は、例えば、ステータの内側端部Ｅｉの平面上に載せられ、固定ネジ９０によってステータ２０に固定される。
【００３６】
カバーは、プレート９１の孔を通るネジ９３によってプレート９１に対して固定できる中空要素である。もちろん、クリップによる固定など、プレートとケースとの間のその他の固定モードを考えることができる。
【００３７】
ケースが受信手段の受信ダイオード４を内部に収容する場合、そして第１の可能性によれば、当該チャネル２０４は、外側端部Ｅｅと呼ばれる長手方向端部のロックシリンダーのステータ２０を通り、内側端部Ｅｉと呼ばれる他方の長手方向端部へと延びる。ケースが受信手段の受信ダイオード４を内部に収容する場合、そして第２の可能性によれば、レベル２４はステータ２０の全長にわたって延びる。
【００３８】
電気式アクチュエータ３は、電気モーター３０と、この電気モーターの出力をローター２１に接続する噛み合い部とを含むことができる。この電気モーター３０は、開放への回転の方向に沿って、あるいは閉鎖への回転の方向に沿って制御されるとき、ローター２１および関連するロックピン２２の回転を引き起こす。
【００３９】
図２に例として示されるように、このモーター３は、ロックシリンダー２のローター２１の回転軸線に対して実質的に垂直な回転軸線を有することができる。したがって、噛み合い部は傘歯車を形成し、ローター２１と一体の第１の円錐形ピニオン３１と、電気モーター３０の出力部と一体の第２の円錐形ピニオン３２とを備える。
【００４０】
電気的ロックはまた、ドアＰの内側で作動可能であることが意図された把持部分１１と、ステータ２０の内側端部からステータの外部へとローター２１から延びるローター２１と一体のシャフト１２とを含む手動制御部を含むことができる。この手動制御部は、把持部分１１に対する手動回転動作によってロックの状態を変更することを可能とするように構成される。
【００４１】
図２において、上記シャフト１２はローター２１と同軸であり、両側でケース９を貫通し、その終端部を通って外側に現れることに留意されたい。把持部分１１は、例えばクランピングネジ１３を介して、シャフト１２の終端部に対して固定される。
【００４２】
図１ないし図３に例として示される実施形態によれば、ロックシリンダー２は、キーによって作動することを可能にする第２のローターを備える。したがって、電気式アクチュエータ３によって作動させられるローター２１は第１のローターであり、ロックシリンダー２は、ステータ２０の内部に設けられた第２のローター２３を備える。この第２のローター２３は、キー経路を形成する長手方向リセスを有し、ステータの外側端部から、第２のローター２３に挿入されたキーを回転させることにより、ロックの状態を変更することを可能とするように構成される。したがって、第２のローター２３およびステータ２０のアセンブリは、ピンタンブラーロックを形成することができる。
【００４３】
そのような実施形態は、図３に非限定的な例として示されている。ステータ２０は、外側端部Ｅｅから、第２のローター２３を受け入れるよう意図された孔を含む円形部分を有する第１の長さセクション（クロスセクション）２６と、これに続く、第２のローター２３を受け入れるよう意図された孔を含む円形部分を有する第２の長さセクション（クロスセクション）２７とを備える。第１の長さセクション２６と第２の長さセクション２７との間の中間窪み２８はロックピン２２を受け入れる。このロックピン２２は、作動機構、ドアのラッチと係合するよう意図されたドライバー２２０と、ローター２１，２３と同軸に取り付けられるリング２２１とを備える。
【００４４】
カップリング機構２５は、キーが第２のローター２３のキー経路内に挿入された場合にのみ、ロックピン２２に対する第２のローター２３の結合を保証するように構成される。
【００４５】
カップリング機構は、ロックピン２２のリング２２１を通して受け入れられ、かつ、シャフト２５ａおよび２５ｂと同軸の軸ピボットによって互いに一体化された二つのシャフト部分２５ａおよび２５ｂを含むピンデバイスを含むことができる。シャフト部分２５ａは、第２のローター２３に対する部分２５ａの回転と一体のピン２９を備え、シャフト部分２５ｂは、第１のローター２１に対してシャフト部分２５ｂと一体の（認識できない）ピンを備える。
【００４６】
部分２５ａ，２５ｂを備えたこのピンデバイスは、キーが存在しない場合、第２のローター２３の方向にスプリングによって拘束される、ロックピンのリング２２１を介して制限される経路に沿ってスライドするように取り付けられる。
【００４７】
この位置（キーなし）では、部分２５ｂのピンのみがロックピン２２のピン溝３０と係合し、したがって、第１のローター２１の回転をロックピン２２の回転にリンクさせる。特に、図２に示されるように、部分２５ａはロックピン２２のピン溝から離れており、したがって、第２のローター２３の回転とロックピン２２の回転とを連結している。したがって、第２のローター２３２を回転させることなく、第１のローター２１およびロックピン２２を回転させることができる。
【００４８】
キーが第２のローターのキー経路に挿入されると、キーの端部はピンデバイス２５ａ，２５ｂと接触し、スプリングの復元力に抗して、ロックピン２２の方向に制限された経路でそれを駆動する。
【００４９】
この動きにより、ロックピン２２のピン溝３０にピン２９が係合することにより、第２のローター２３とロックピン２２との結合が生じる。したがって、キーの回転により、第２のローター２３およびロックピン２２を回転させることが可能となる。好ましくは、（キーが挿入された）この位置では、第１のローター２１は常にロックピン２２（および第２のローター２３）に結合されたままである。そうした機構によって、電子機器は、キーによる機構の開放を検出することが可能となる。この目的のために、角度コーダーは、第１のローターの回転を追跡することを可能にする。この実施形態によれば、ステータセンブリ２０、第２のローター２３は、ピンタンブラーロックを形成することができる。したがって、図３に示すように、第２のローター２３は、能動ピン１４用の半径方向孔を有し、ステータ２０の部分２ｂは、受動ピン１５、ストッパー１７に支えられたピン１４，１５を押すスプリング１６用の対応する孔を有する。既知の方法で、キーのプロファイルにより、能動ピン１４と受動ピン１５との間に位置する面が第２のローター２３／ステータインターフェースと組み合わされ、これによって第２のローターの回転が自由になることを保証することが可能となる。
【００５０】
図４に示される別の実施形態によれば、ロックシリンダー２は、制御ユニット５の電気制御による電気式アクチュエータ３によって、あるいはまたは、シャフト１２および把持部分１１を備えた手動制御部によって内部から動作させることができる、参照符号２１が付された単一のローターを備える。しかしながら、この実施形態によれば、このロックシリンダーは第２のキー動作ローターを持たない。したがって、図４に示すように、ステータ２０の第１の長さセクション２６は中実であり、第２の長さセクション２７のみがローター２１用の孔を有していてもよい。
【００５１】
また、注目すべきことに、使用されるダイオード４は、パルスを検出するために、受信のみに使用されるフォトダイオードであってもよい。有利なことには、受信ダイオード４はまた、光パルスを検出するだけでなく、ステータ２０の外側端部から見ることができる可視光信号を発するように構成されてもよい。開放および／または閉鎖コードを規定する光信号の検出、そして閉鎖または開放への制御の制御ユニット５による発生に続いて、制御ユニットは、例えば、開放または閉鎖操作の成功を示す視覚信号、例えば緑色を発するためにダイオードを制御することができる。
【００５２】
逆に、光信号のコードが認識されない場合、制御ユニットは、操作の失敗を示す視覚信号、たとえば赤色を放射するためにダイオードを制御することができる。
【００５３】
本発明はまた、以下のステップ、すなわち
・本発明による電子デバイスの電気的ロックの自立アセンブリ６を提供するステップと、
・自立アセンブリ６のロックシリンダー２を、電気的ロックの開放あるいは閉鎖を制御するために、そこから光信号が発せられるよう意図された側とは反対のドアの側から、ロックシリンダーを受け入れるよう意図されたドアＰのハウジング６内に挿入するステップと、
・ロックシリンダー２のステータ２０のネジ孔２０１内に固定ネジのドアのエッジから固定ネジを挿入することにより自立アセンブリ６をロックするステップとを備える設置方法に関する。
【符号の説明】
【００５４】
１  電子デバイス
２  ロックシリンダー
２ａ  ヨーロッパプロファイルロックシリンダーのステータの円形部分
２ｂ  円形部分から半径方向に延びるヨーロッパプロファイルロックシリンダーの延長部分
２ｃ  ヨーロッパプロファイルロックシリンダーのステータの基部までの延長部分を終端させるアーチ状プロファイル
２０  ステータ
２０１  （固定ネジ７用の）ネジ孔
２０４  ステータによって形成されたチャネル
２０５  ステータのレベルとヨーロッパプロファイルロックシリンダー用のドアハウジングとの間に形成されたチャネル（図５）
２１  電気式アクチュエータによって制御されるローター（特に第１のローター）
２２  ロックピン
２２０  ドライバー（ロックピン）
２２１  リング（ロックピン）
２３  （キー経路を有する）第２のローター
２４  レベル
２５  カップリング機構
２５ａ，２５ｂ  ピンデバイスの二つのシャフト部分（カップリング機構）
２６  第１の長さセクション（ステータ）
２７  第２の長さセクション（ステータ）
２８  窪み
３  電気式アクチュエータ
３０  電気モーター
３１，３２  傘歯車を形成する噛み合い部の円錐形ピニオン
４  フォトダイオードなどの受信ダイオード
５  制御ユニット
６  自立アセンブリ
７  固定ネジ
８  光ファイバー
９  ケース
９０  固定ネジ（ステータに対するケースの固定）
９１，９２  ケースを形成するプレートおよび中空カバー
９３  固定ネジ（プレート９１上のカバー９２）
１０  電気エネルギー源
１１，１２  手動制御の把持部分およびシャフト
１３  クランピングネジ
１４  能動ピン
１５  受動ピン
１６  スプリング（ピン）
１７  ストッパー
Ｅｅ  外側端部（シリンダーのステータ）
Ｅｉ  内側端部（シリンダーのステータ）
Ｐ  ドア
Ｌｇ  ヨーロッパプロファイルロックシリンダーを受け入れるためのドアハウジング
【図１】
2020533509.tif 000003
【図２】
2020533509.tif 000004
【図３】
2020533509.tif 000005
【図４】
2020533509.tif 000006
【図５】
2020533509.tif 000007
【図６】
2020533509.tif 000008
【図７】
2020533509.tif 000009
【国際調査報告】
2020533509.tif 000010
2020533509.tif 000011
2020533509.tif 000012
2020533509.tif 000013